(57)【要約】      （修正有）【課題】他装置の表示画像データを取り込んで自装置の表示画像データと１枚のファイルに簡単に統合でき、かつ他装置の表示画像データと自装置の表示画像データを各１ページとして、複数ページからなるファイルとしても簡単に統合できる装置等を提供する。【解決手段】親機である自装置Ａに、接触状態ないしは近接状態に配置された他の装置Ｂ、Ｃに表示されている画像データＤｂ、Ｄｃを取り込む際に、他の装置が自装置と重なり状態に配置されているかどうかが判断され、重なり状態に配置されていると判断された場合には、自装置に表示されている画像データＤａと取り込んだ他の装置の画像データが、それぞれ１ページとして複数ページからなるファイルに統合される。他の装置が自装置と重なり状態に配置されていないと判断された場合には、自装置に表示されている画像データと他の装置の画像データが、１枚のファイルに統合される。【選択図】図１２
2014089611.tif 000002
【特許請求の範囲】
【請求項１】
画像データを表示可能な表示手段と、
接触状態ないし近接状態に配置された他の装置に表示されている画像データを取り込むデータ取り込み手段と、
前記データ取り込み手段により画像データを取り込む際に、他の装置が自装置と重なり状態に配置されているかどうかを判断する重なり判断手段と、
前記重なり判断手段により、他の装置が自装置と重なり状態に配置されていると判断された場合には、自装置に表示されている画像データと、前記データ取り込み手段により取り込んだ前記他の装置の画像データを、それぞれ１ページとして複数ページからなるファイルに統合し、前記重なり判断手段により、他の装置が自装置と重なり状態に配置されていないと判断された場合には、自装置に表示されている画像データと、前記データ取り込み手段により取り込んだ前記他の装置の画像データを、１枚のファイルに統合するファイル統合手段と、
前記ファイル統合手段により統合された画像データのファイルを、前記表示手段に表示させる表示制御手段と、
を備えたことを特徴とする画像取り込み装置。
【請求項２】
前記ファイル統合手段は、自装置及び他の装置の重なりの順序で、前記統合した複数ページの各ページにページ設定を行う請求項１に記載の画像取り込み装置。
【請求項３】
前記重なり判断手段は、自装置と他の装置の重なり割合が一定以上の場合に、他の装置が自装置と重なり状態に配置されていると判断する請求項１または２に記載の画像取り込み装置。
【請求項４】
前記重なり割合を可変設定可能に構成されている請求項３に記載の画像取り込み装置。
【請求項５】
前記ファイル統合手段は、前記表示手段に表示されている表示データ及び／または取り込んだ他の装置の画像データの余白部を決定し、１ページに統合する際に前記余白部を削除して画像部分のみを統合する請求項１〜４のいずれかに記載の画像取り込み装置。
【請求項６】
前記ファイル統合手段は、ファイル統合した１枚のファイルの大きさを定型最大サイズの表示データとする請求項１〜５のいずれかに記載の画像取り込み装置。
【請求項７】
前記表示制御手段は、前記ファイル統合手段により複数ページからなるファイルに統合された場合、該ファイルを複数ページであることが分かるように前記表示手段に表示する請求項１〜６のいずれかに記載の画像取り込み装置。
【請求項８】
前記データ取り込み手段により取り込まれた画像データ及び／またはファイル統合手段により統合されたファイルを編集する編集手段を備えている請求項１〜７のいずれかに記載の画像取り込み装置。
【請求項９】
前記ファイル統合手段は、画像データを取り込んだ状態で、再度、前記重なりの順を変更することにより、取り込んだページ順を変更可能である請求項２に記載の画像取り込み装置。
【請求項１０】
前記表示制御手段は、前記他の装置が重なり状態に配置されている場合、前ページの表示を半透明レイヤとして時間と共に順次取り込み表示を行い、最後に１つのファイルとして１ページ目の表示を決定する請求項１〜９のいずれかに記載の画像取り込み装置。
【請求項１１】
前記表示制御手段は、前記統合されたファイルの第１ページにリンクを貼って関連する画像をそのリンクに関連付けし、ユーザがリンクが貼られた箇所を選択すると、リンク先の表示ページに表示を切り替える請求項１〜１０のいずれかに記載の画像取り込み装置。
【請求項１２】
前記データ取り込み手段による画像データの取り込みは、前記他の装置が自装置に接触されたときか、あるいは専用の取り込みキーが押下されたときに設定されている請求項１〜１１のいずれかに記載の画像取り込み装置。
【請求項１３】
前記ファイル統合手段により統合されたファイルを、該ファイルの統合が完了した時点で前記他の装置に送信する請求項１〜１２のいずれかに記載の画像取り込み装置。
【請求項１４】
前記他の装置が自装置に接触されている状態でファイルの統合が完了し、その統合されたファイルを前記他の装置にコピーしたい場合には、統合されたファイルを表示画面上に摘まみ上げ、前記他の装置の表示画面上で離す操作を行なうことにより、コピーが実行可能に構成されている請求項１〜１３のいずれかに記載の画像取り込み装置。
【請求項１５】
前記他の装置が自装置に接触されている状態でファイルの統合が完了し、その統合されたファイルを前記他の装置に送信したい場合には、統合されたファイルを表示画面上で前記他の装置側に向かってフリック操作を行なうことにより、送信が実行可能に構成されている請求項１〜１４のいずれかに記載の画像取り込み装置。
【請求項１６】
接触状態ないし近接状態に配置された他の装置に表示されている画像データを取り込むデータ取り込みステップと、
前記データ取り込みステップにおいて画像データを取り込む際に、他の装置が自装置と重なり状態に配置されているかどうかを判断する重なり判断ステップと、
前記重なり判断ステップにおいて、他の装置が自装置と重なり状態に配置されていると判断された場合には、自装置に表示されている画像データと、前記データ取り込みステップにおいて取り込んだ前記他の装置の画像データを、それぞれ１ページとして複数ページからなるファイルに統合し、前記重なり判断ステップにおいて、他の装置が自装置と重なり状態に配置されていないと判断された場合には、自装置に表示されている画像データと、前記データ取り込みステップにおいて取り込んだ前記他の装置の画像データを、１枚のファイルに統合するファイル統合ステップと、
前記ファイル統合ステップにおいて統合された画像データのファイルを、表示手段に表示させる表示制御ステップと、
を備えたことを特徴とする画像取り込み装置における画像取り込み方法。
【請求項１７】
接触状態ないし近接状態に配置された他の装置に表示されている画像データを取り込むデータ取り込みステップと、
前記データ取り込みステップにおいて画像データを取り込む際に、他の装置が自装置と重なり状態に配置されているかどうかを判断する重なり判断ステップと、
前記重なり判断ステップにおいて、他の装置が自装置と重なり状態に配置されていると判断された場合には、自装置に表示されている画像データと、前記データ取り込みステップにおいて取り込んだ前記他の装置の画像データを、それぞれ１ページとして複数ページからなるファイルに統合し、前記重なり判断ステップにおいて、他の装置が自装置と重なり状態に配置されていないと判断された場合には、自装置に表示されている画像データと、前記データ取り込みステップにおいて取り込んだ前記他の装置の画像データを、１枚のファイルに統合するファイル統合ステップと、
前記ファイル統合ステップにおいて統合された画像データのファイルを、表示手段に表示させる表示制御ステップと、
を画像取り込み装置のコンピュータに実行させるための画像取り込みプログラム。
【発明の詳細な説明】
【技術分野】
【０００１】
この発明は、他の携帯表示端末や電子ペーパー等に表示された画像データを取り込むことが可能な携帯表示端末や電子ペーパー等の画像取り込み装置、画像取り込み方法及び画像取り込みプログラムに関する。
【背景技術】
【０００２】
近年、例えば液晶パネルを使った携帯表示端末や電子ペーパー等のように、紙の厚さに近付けようとする薄形の画像取り込み装置が普及しつつあり、会議等では、今まで多用されているパーソナルコンピュータ（ＰＣ）に代わってこの種の装置を使うことが増えてきている。
【０００３】
この種の装置を使用する会議では、参加者がそれぞれ分担して資料を作成し、持ち寄った資料を纏めて１つのファイルにしたい場合がある。その場合、各参加者が持ち込んだ画像取り込み装置を使用して、それぞれが分担して作成した資料を纏めて１つのファイルにすることになる。その時、その場で簡単に各ファイルの方向や順序を見ながら討議して、素早くファイルを一つに纏めて装置で表示できれば便利である。
【０００４】
このように、各参加者の資料を１つのファイルに纏める場合、従来では、持参した画像取り込み装置の各ファイルを開いておき、親機として設定された装置から他の装置にアクセスすることにより、画像の順番等を考えて操作するのが一般的である。
【０００５】
また、特許文献１には、複数の画像デバイスに同時に表示されている画像を、それらの位置関係のままで、１枚の画像に集約する技術が提案されている。
【先行技術文献】
【特許文献】
【０００６】
【特許文献１】特開２０１１−１０１２４８号公報
【発明の開示】
【発明が解決しようとする課題】
【０００７】
ところが、従来のように、複数の画像取り込み装置のそれぞれに表示部にファイルを開いておき、親機となる１つの装置から他の装置の元データにアクセスする技術では、その元データを取り込んだファイル統合作業を行うことになるが、その場合、ページの順などを考えながら統合作業を行う必要があり、煩わしく時間がかかってしまうという問題がある。
【０００８】
また、前記特許文献１に記載の技術では、１枚の画像に集約することは可能であるが、各装置の画像データをそれぞれ１ページとして複数ページのファイルに纏めることはできなかった。
【０００９】
この発明は、上記実情に鑑みてなされたものであり、他装置の表示画像データを取り込んで自装置の表示画像データと１枚のファイルに簡単に統合できると共に、他装置の表示画像データと自装置の表示画像データをそれぞれ１ページとして、複数ページからなるファイルとしても簡単に統合できる画像取り込み装置及び画像取り込み方法を提供し、さらには前記画像取り込み方法を画像取り込み装置に実行させるための画像取り込みプログラムを提供することを課題としている。
【課題を解決するための手段】
【００１０】
上記課題は、以下の手段によって解決される。
（１）画像データを表示可能な表示手段と、接触状態ないし近接状態に配置された他の装置に表示されている画像データを取り込むデータ取り込み手段と、前記データ取り込み手段により画像データを取り込む際に、他の装置が自装置と重なり状態に配置されているかどうかを判断する重なり判断手段と、前記重なり判断手段により、他の装置が自装置と重なり状態に配置されていると判断された場合には、自装置に表示されている画像データと、前記データ取り込み手段により取り込んだ前記他の装置の画像データを、それぞれ１ページとして複数ページからなるファイルに統合し、前記重なり判断手段により、他の装置が自装置と重なり状態に配置されていないと判断された場合には、自装置に表示されている画像データと、前記データ取り込み手段により取り込んだ前記他の装置の画像データを、１枚のファイルに統合するファイル統合手段と、前記ファイル統合手段により統合された画像データのファイルを、前記表示手段に表示させる表示制御手段と、を備えたことを特徴とする画像取り込み装置。
（２）前記ファイル統合手段は、自装置及び他の装置の重なりの順序で、前記統合した複数ページの各ページにページ設定を行う前項１に記載の画像取り込み装置。
（３）前記重なり判断手段は、自装置と他の装置の重なり割合が一定以上の場合に、他の装置が自装置と重なり状態に配置されていると判断する前項１または２に記載の画像取り込み装置。
（４）前記重なり割合を可変設定可能に構成されている前項３に記載の画像取り込み装置。
（５）前記ファイル統合手段は、前記表示手段に表示されている表示データ及び／または取り込んだ他の装置の画像データの余白部を決定し、１ページに統合する際に前記余白部を削除して画像部分のみを統合する前項１〜４のいずれかに記載の画像取り込み装置。
（６）前記ファイル統合手段は、ファイル統合した１枚のファイルの大きさを定型最大サイズの表示データとする前項１〜５のいずれかに記載の画像取り込み装置。
（７）前記表示制御手段は、前記ファイル統合手段により複数ページからなるファイルに統合された場合、該ファイルを複数ページであることが分かるように前記表示手段に表示する前項１〜６のいずれかに記載の画像取り込み装置。
（８）前記データ取り込み手段により取り込まれた画像データ及び／またはファイル統合手段により統合されたファイルを編集する編集手段を備えている前項１〜７のいずれかに記載の画像取り込み装置。
（９）前記ファイル統合手段は、画像データを取り込んだ状態で、再度、前記重なりの順を変更することにより、取り込んだページ順を変更可能である前項２に記載の画像取り込み装置。
（１０）前記表示制御手段は、前記他の装置が重なり状態に配置されている場合、前ページの表示を半透明レイヤとして時間と共に順次取り込み表示を行い、最後に１つのファイルとして１ページ目の表示を決定する前項１〜９のいずれかに記載の画像取り込み装置。
（１１）前記表示制御手段は、前記統合されたファイルの第１ページにリンクを貼って関連する画像をそのリンクに関連付けし、ユーザがリンクが貼られた箇所を選択すると、リンク先の表示ページに表示を切り替える前項１〜１０のいずれかに記載の画像取り込み装置。
（１２）前記データ取り込み手段による画像データの取り込みは、前記他の装置が自装置に接触されたときか、あるいは専用の取り込みキーが押下されたときに設定されている前項１〜１１のいずれかに記載の画像取り込み装置。
（１３）前記ファイル統合手段により統合されたファイルを、該ファイルの統合が完了した時点で前記他の装置に送信する前項１〜１２のいずれかに記載の画像取り込み装置。
（１４）前記他の装置が自装置に接触されている状態でファイルの統合が完了し、その統合されたファイルを前記他の装置にコピーしたい場合には、統合されたファイルを表示画面上に摘まみ上げ、前記他の装置の表示画面上で離す操作を行なうことにより、コピーが実行可能に構成されている前項１〜１３のいずれかに記載の画像取り込み装置。
（１５）前記他の装置が自装置に接触されている状態でファイルの統合が完了し、その統合されたファイルを前記他の装置に送信したい場合には、統合されたファイルを表示画面上で前記他の装置側に向かってフリック操作を行なうことにより、送信が実行可能に構成されている前項１〜１４のいずれかに記載の画像取り込み装置。
（１６）接触状態ないし近接状態に配置された他の装置に表示されている画像データを取り込むデータ取り込みステップと、前記データ取り込みステップにおいて画像データを取り込む際に、他の装置が自装置と重なり状態に配置されているかどうかを判断する重なり判断ステップと、前記重なり判断ステップにおいて、他の装置が自装置と重なり状態に配置されていると判断された場合には、自装置に表示されている画像データと、前記データ取り込みステップにおいて取り込んだ前記他の装置の画像データを、それぞれ１ページとして複数ページからなるファイルに統合し、前記重なり判断ステップにおいて、他の装置が自装置と重なり状態に配置されていないと判断された場合には、自装置に表示されている画像データと、前記データ取り込みステップにおいて取り込んだ前記他の装置の画像データを、１枚のファイルに統合するファイル統合ステップと、前記ファイル統合ステップにおいて統合された画像データのファイルを、表示手段に表示させる表示制御ステップと、を備えたことを特徴とする画像取り込み装置における画像取り込み方法。
（１７）接触状態ないし近接状態に配置された他の装置に表示されている画像データを取り込むデータ取り込みステップと、前記データ取り込みステップにおいて画像データを取り込む際に、他の装置が自装置と重なり状態に配置されているかどうかを判断する重なり判断ステップと、前記重なり判断ステップにおいて、他の装置が自装置と重なり状態に配置されていると判断された場合には、自装置に表示されている画像データと、前記データ取り込みステップにおいて取り込んだ前記他の装置の画像データを、それぞれ１ページとして複数ページからなるファイルに統合し、前記重なり判断ステップにおいて、他の装置が自装置と重なり状態に配置されていないと判断された場合には、自装置に表示されている画像データと、前記データ取り込みステップにおいて取り込んだ前記他の装置の画像データを、１枚のファイルに統合するファイル統合ステップと、前記ファイル統合ステップにおいて統合された画像データのファイルを、表示手段に表示させる表示制御ステップと、を画像取り込み装置のコンピュータに実行させるための画像取り込みプログラム。
【発明の効果】
【００１１】
前項（１）に記載の発明によれば、接触状態ないしは近接状態に配置された他の装置に表示されている画像データを取り込む際に、他の装置が自装置と重なり状態に配置されているかどうかが判断され、重なり状態に配置されていると判断された場合には、自装置に表示されている画像データと前記取り込んだ他の装置の画像データが、それぞれ１ページとして複数ページからなるファイルに統合され、他の装置が自装置と重なり状態に配置されていないと判断された場合には、自装置に表示されている画像データと他の装置の画像データが、１枚のファイルに統合される。
【００１２】
具体的には、例えば、他の装置が自装置と並べて配置された場合には、電子書籍のように統合ファイルを１枚ものに表示でき、また、他の装置が自装置と重ねた状態に配置された場合には、各装置のそれぞれの１ページの画像が複数ページからなるファイルとして統合される。従って、他の装置のファイルを開いてアクセスして画像のファイルを統合する従来のような煩雑さもなく、他装置を自装置に重なり状態に配置することによって、複数ページからなるファイルに簡単に統合でき、また他装置を自装置に非重なり状態に配置することによって、各画像データを１枚のファイルに簡単に統合できる。
【００１３】
前項（２）に記載の発明によれば、自装置及び他の装置の重なりの順序のとおりに、統合した複数ページの各ページにページ設定が行われる。
【００１４】
前項（３）に記載の発明によれば、自装置と他の装置の重なり割合が一定以上の場合に、他の装置が自装置と重なり状態に配置されていると判断される。
【００１５】
前項（４）に記載の発明によれば、ユーザ等は重なり割合を可変設定することができる。
【００１６】
前項（５）に記載の発明によれば、表示手段に表示されている表示データ及び／または取り込んだ他の装置の画像データの余白部を決定し、１ページに統合する際に前記余白部を削除して画像部分のみを統合するから、余白部が削除されて画像部分が配置良く統合される。
【００１７】
前項（６）に記載の発明によれば、１枚のファイルの大きさが定型最大サイズの表示データとなるようにファイル統合される。
【００１８】
前項（７）に記載の発明によれば、複数ページからなるファイルに統合された場合、複数ページであることが分かるようにファイルが表示手段に表示されるから、各ページを容易に開くことができる。
【００１９】
前項（８）に記載の発明によれば、取り込まれた画像データ及び／または統合されたファイルの編集を行うことができる。
【００２０】
前項（９）に記載の発明によれば、画像データを取り込んだ状態で、再度、前記重なりの順を変更することにより、取り込んだページ順を変更できる。
【００２１】
前項（１０）に記載の発明によれば、他の装置が重なり状態に配置されている場合、前ページの表示を半透明レイヤとして時間と共に順次取り込み表示が行われ、最後に１つのファイルとして１ページ目の表示が決定される。
【００２２】
前項（１１）に記載の発明によれば、統合されたファイルの第１ページにリンクを貼って関連する画像をそのリンクに関連付けし、ユーザがリンクが貼られた箇所を選択すると、リンク先の表示ページに表示が切り替えられるので、リンク情報の速やかな表示が可能となる。
【００２３】
前項（１２）に記載の発明によれば、他の装置が自装置に接触されたときのみならず、専用の取り込みキーが押下されたときにも画像データの取り込みが行なわれる。
【００２４】
前項（１３）に記載の発明によれば、統合されたファイルが、該ファイルの統合が完了した時点で他の装置に送信されるから、他の装置は画像データの統合操作を行わなくても、統合されたファイルを取得することができる。
【００２５】
前項（１４）に記載の発明によれば、統合されたファイルを他の装置にコピーしたい場合には、そのファイルを表示画面上に摘まみ上げ、他の装置の表示画面上で離す操作により、コピー実行が簡単に行なえる。
【００２６】
前項（１５）に記載の発明によれば、統合されたファイルを他の装置に送信したい場合には、統合されたファイルを表示画面上で他の装置に向けてフリック操作すれば、簡単に送信が実行される。
【００２７】
前項（１６）に記載の発明によれば、他の装置のファイルを開いてアクセスして画像のファイルを統合する従来のような煩雑さもなく、他装置を自装置に重なり状態に配置することによって、複数ページからなるファイルに簡単に統合でき、また他装置を自装置に非重なり状態に配置することによって、各画像データを１枚のファイルに簡単に統合できる。
【００２８】
前項（１７）に記載の発明によれば、他の装置のファイルを開いてアクセスして画像のファイルを統合する従来のような煩雑さもなく、他装置を自装置に重なり状態に配置することによって、複数ページからなるファイルに簡単に統合でき、また他装置を自装置に非重なり状態に配置することによって、各画像データを１枚のファイルに簡単に統合できる処理を、画像取り込み装置のコンピュータに実行させることができる。
【図面の簡単な説明】
【００２９】
【図１】この発明の一実施形態に係る画像取り込み装置が適用された携帯表示端末を示す概略外観斜視図である。
【図２】同じく携帯表示端末の電気的構成を示すブロック図である。
【図３】複数の携帯表示端末に表示された各画像データを一つのファイルに統合する場合の説明図である。
【図４】起動した表示ファイルの統合アプリケーションの表示画面例を示す平面図である。
【図５】親機の携帯表示端末に対して他の携帯表示端末を接触させる場合の位置／向きの説明図である。
【図６】親機の携帯表示端末に対して他の携帯表示端末から画像データを取り込んだ状態を示す平面図である。
【図７】親機の携帯表示端末に対する他の携帯表示端末の向きに合わせて画像データを統合する例の説明図である。
【図８】図７の場合にファイル統合した後の表示画像を示す図である。
【図９】表示データの周辺の余白部を検出して画像データを統合した例の説明図である。
【図１０】表示データの余白部の説明図である。
【図１１】複数の携帯表示端末を厚さ方向で重ねる状態を示す概略斜視図である。
【図１２】親機の携帯表示端末に対して他の携帯表示端末を横にずらして重ねた状態で画像データを統合する例の説明図である。
【図１３】親機の携帯表示端末に対する他の携帯表示端末の重なり割合を検出する場合の説明図である。
【図１４】親機の携帯表示端末に対する他の携帯表示端末の重なり割合を座標位置から決定する例の説明図である。
【図１５】親機の携帯表示端末に重なった他の携帯表示端末の画像データを取り込んでファイル統合した場合の表示画面図である。
【図１６】親機の携帯表示端末に対して他の携帯表示端末を斜めにずらして重ねた状態の説明図である。
【図１７】他の携帯表示端末を斜めにずらして重ねた場合に、１枚のファイルとして統合した状態の説明図である。
【図１８】複数の携帯表示端末を斜めにずらして重ねた場合の画像データを複数ページに統合する場合の説明図である。
【図１９】同じく複数ページに統合する場合において、１ページ目を表示して暫くして２ページ目（Ｐ２）を表示した状態の説明図である。
【図２０】同じく複数ページに統合する場合において、２ページ目を表示して暫くして３ページ目（Ｐ３）を表示した状態の説明図である。
【図２１】複数ページに統合する場合、１ページ目（Ｐ１）で選択して関連付けられた画像のページに表示が切り替わる例の説明図である。
【図２２】統合ファイルを親機の携帯表示端末から他の携帯表示端末にコピーする方法の説明図である。
【図２３】統合ファイルを親機の携帯表示端末から他の携帯表示端末に送信する方法の説明図である。
【図２４】親機の携帯表示端末に他の携帯表示端末の画像データを取り込んでファイル統合する処理の流れを示すフローチャートである。
【図２５】画像データを取り込む処理（Ｓ７）のサブルーチンを示すフローチャーである。
【図２６】ファイル統合処理（Ｓ１１）のサブルーチンを示すフローチャーである。
【図２７】ファイル送信処理（Ｓ１４）のサブルーチンを示すフローチャーである。
【図２８】画像取り込み装置を画像形成装置の操作パネル部に適用し、他の携帯表示端末の表示画像を操作パネル部に取り込んでファイル統合を行なう例の説明図である。
【発明を実施するための形態】
【００３０】
以下、この発明の実施形態を図面に基づいて説明する。
【００３１】
図１は、この発明の一実施形態に係る画像取り込み装置としての携帯表示端末を示す斜視図である。
【００３２】
この携帯表示端末（以下、単に端末という）Ａ（Ｂ）（Ｃ）は、平面形状が、例えば４角形の本体１の表面側に、４角枠部２で囲まれた表示部３が設けられている。
【００３３】
この表示部３は、例えば、電子ペーパーやＥＬ素子ないしはこの例のような液晶素子（ＬＣＤ）からなるタッチパネルで構成されており、画像データＤａ等が表示される。
【００３４】
前記枠部２の上下および左右の両辺部には、他の端末Ｂ，Ｃ・・・が略同一面内で縦方向や横方向から接触して並置されたのを検知したり、厚さ方向で重ね合わせられた場合の重なり割合（具合）等を検知する複数のセンサ４・・・が搭載されている。センサ４の一部のものは、端末同志の接触時の当たりを検知する振動センサ、さらには、端末同士の重なりを検知する端部検知センサとして構成されている。
【００３５】
前記表示部３の下側には、キー部（例えばソフトウェアキー部）５が設けられている。キー部５は、例えば、図２、図４，図６等に示すように、親機キーＫ１、編集キーＫ２、取り込みキーＫ３、ページアップ・ダウンキーＫ４、クリアＫ５および完了キーＫ６等を有している。
【００３６】
図２は、同じく端末Ａ（Ｂ）（Ｃ）・・・の電気的構成を示すブロック図である。
【００３７】
図２において、この端末Ａ（Ｂ）（Ｃ）・・・は、ＣＰＵ１１と、ＲＯＭ１２と、ＲＡＭ１３と、入力部１４と、表示部１５と、記憶部１６と、外部インターフェース（Ｉ／Ｆ）部１７と、検出部１８とを備えている。
【００３８】
ＣＰＵ１１は、動作プログラムに従って全体を統括制御する他に、他の端末Ｂ，Ｃ・・・の表示画像Ｄｂ，Ｄｃ・・・（図３）を取り込んで、表示部３に表示されている画像データＤａと統合して１つのファイルを作成するファイル統合手段としても機能する。
【００３９】
ＲＯＭ１２は、ＣＰＵ１１の動作プログラム等が格納された記憶媒体であり、ＲＡＭ１３は、ＣＰＵ１１が動作プログラムを実行する際の動作領域を提供する記憶媒体である。
【００４０】
入力部１４は、例えば、前記キー群５とタッチ入力が可能な表示部３とから構成されており、キー部５に対するユーザの押下操作、あるいは表示部３の画面に対するユーザの各種タッチ入力が可能となされている。
【００４１】
記憶部１６は、各種データを記憶する他に、親機となる一つの端末Ａに対して他の端末Ｂ，Ｃの各表示画像データが取り込まれてファイル統合された場合、その統合ファイルを登録・記憶する機能を有している。
【００４２】
外部Ｉ／Ｆ部１７は、他の端末Ｂ，Ｃ・・・との通信を司るものであり、他の端末Ｂ，Ｃ・・・に接触された状態でそれらの表示データを取り込み可能なデータ取り込み手段の機能も有している。
【００４３】
検出部１８は、前述した各種センサ４を有しており、他の端末Ｂ，Ｃ・・・が略同一面内で横に接触して並置されたり、厚さ方向で重ねられた状態を検出する機能を有している。
【００４４】
図３は、複数（例えば３個）の端末Ａ（Ｂ，Ｃ・・・）に表示された各画像データを一つのファイルに統合する場合の説明図である。
【００４５】
図３において、３台の端末Ａ，Ｂ，Ｃの各表示部３には、それぞれ画像データＤａ，Ｄｂ，Ｄｃが表示されている。
【００４６】
まず、端末Ａにおいて、表示ファイルの統合アプリケーション（統合アプリともいう）を起動する。起動した統合アプリケーションの表示画面例を図４に示す。
【００４７】
そして、起動した統合アプリケーションで、この端末Ａの親機キーＫ１を押下することにより、起動後に表示データＤａ，Ｄｂ，Ｄｃを統合するための親機として、端末Ａが設定される。
【００４８】
以下に、具体的にファイル統合手順を説明する。
（１）まず、親機である端末Ａの表示ファイルＤａに対して、図５に示すように、統合させたいファイルＤｂ，Ｄｃをそれぞれ他の端末Ｂ，Ｃに表示させる。この状態で、これら端末Ｂ，Ｃを親機である端末Ａに接触させる。
【００４９】
この例では、図５に示すように、端末Ａに対して他の端末Ｂを右側から接触させ、他の端末Ｃを下側から接触させている。
【００５０】
このように端末Ａに対して他の端末Ｂ，Ｃを接触させると、前記センサ４により相互の位置が検出され、端末Ａと他の端末Ｂ，Ｃとの間でそれぞれ通信が行われ、振動センサ４により接触し並び合わせられたことが検出される。
【００５１】
この検出時が他の端末Ｂ，Ｃの各表示画像データＤｂ，Ｄｃを親機である端末Ａに送るタイミング、換言すれば端末Ａによる画像データの取り込みタイミングとなる。なお、端末Ａによる画像データの取り込みタイミングは、端末Ａの取り込みキーＫ３を押下したタイミングとしても良い。
【００５２】
このような画像データの取り込みにより、前記親機の端末Ａの表示部３の画面には、図６に示すように、既に表示していた表示データＤａに対して、取り込まれたデータＤｂ，Ｄｃが１枚の画像として表示される。この場合、表示データＤａに対する取り込まれたデータＤｂ，Ｄｃの配置位置は、端末Ａに対する端末Ｂ及びＣの配置位置と同じである。つまり、端末Ａのセンサ４及びＣＰＵ１１により、端末Ｂは端末Ａの右横に配置され、端末Ｃは端末Ａの下方に配置されたことが検出され、これに応じて端末ＢのデータＤｂは、図６に示すように、端末ＡのデータＤａの右横に配置され、端末ＣのデータＤｃは端末ＡのデータＤａの下方に配置される。
【００５３】
図７は、親機の端末Ａに対する他の端末Ｂ，Ｃの向きに合わせて画像データを統合する例の説明図である。
【００５４】
図７において、端末Ａに対して他の端末Ｂを横向きにして接触させ、また、端末Ｃを上から上下逆向きで接触させて、それぞれのデータＤｂ，Ｄｃを取り込む例を示す図である。取り込んだ後の表示画像を図８に示してある。図８に示すように、取り込んだ端末ＢのデータＤｂは、端末ＡのデータＤａの右横に配置され、端末ＣのデータＤｃは端末ＡのデータＤａの上方に上下逆向きで配置される。
【００５５】
このように端末Ａ（Ｂ）（Ｃ）には、４方にセンサ４が配置されているので、他の端末Ｂ，Ｃを任意の方向から接触させれば、端末Ｂ，Ｃの配置位置や向きを容易に検出でき、データＤａ，Ｄｂの取り込み及び取り込んだデータの統合が簡単に行なえる。
【００５６】
また、「編集」キーＫ２を押下することにより、取り込んだ端末Ｂ，Ｃの表示画像データや、統合後の画像データについて、位置および倍率等の編集を行うことができる。
【００５７】
なお、図６に示す例では、端末Ｂ、Ｃから取り込んだ表示データＤｂ，Ｄｃを編集して端末Ａの表示データＤａに統合してある。
【００５８】
図９は、表示データの周辺の余白部を検出して画像データを統合した例の説明図である。
【００５９】
図９において、このモード設定を行うことにより、表示画像データＤａ，Ｄｂ，Ｄｃの周辺の余白部Ｓを削除してファイル統合が可能になる。
【００６０】
例えば、図１０に示すように、同図の鎖線枠Ｆ内が端末Ｂでの表示データ部とすると、点線枠Ｗ内が余白部Ｓを除いた画像データＤｂになる。端末Ｃでも同様である。取り込みに際して、余白部Ｓを決定するとともに決定した余白部Ｓを削除し、それぞれの点線枠Ｗ内の画像データＤｂ（Ｄｃ）が端末Ａの画像データＤａに統合される。なお、端末Ａの画像データＤａについても余白部を削除しても良い。余白部を削除することで、画像部分が配置良く統合されることになる。
【００６１】
また、端末Ａにおける編集キーＫ２を押下することにより、取り込んだデータＤｂ（Ｄｃ）と親機の端末Ａの表示中のデータＤａ等の編集が可能となる。
【００６２】
また、端末Ａにおいて、統合された画像データＤａ〜Ｄｃについて、編集を行った後、完了キーＫ６を押下すれば、統合したデータが確定する。そして、完了キーＫ６を押下すると同時に、統合した画像データＤａ〜Ｄｃについて、新しいファイル名が設定され、親機である端末Ａの元の画像データＤａのファイルに保存される。
【００６３】
さらに、この実施形態では、統合された画像データＤａ〜Ｄｃがファイルとして保存されると同時に、そのファイルが他の端末Ｂ，Ｃに配信されるようになっている。
【００６４】
なお、画像データＤａ〜Ｄｃの統合を間違った場合には、クリアキーＫ５を押下すれば、最初から画像データＤａ〜Ｄｃのファイル統合を実行させることができる。
【００６５】
また、ファイル統合した１枚のファイルの大きさは、定型最大サイズの表示データとなるように設定されている。
【００６６】
図１１は、複数の端末を厚み方向で重ねた状態にして、各端末の画像データを取り込む場合の、各端末の重なり状態を示す概略斜視図である。
【００６７】
図１１では、例えば端末Ａ〜Ｃのそれぞれの上下に設けられたセンサ４により、重なりの順番を検出し、互いに通信を行い、振動センサ４で互いに重なって接合したという状態を検出する。この検出時が、画像データを親機の端末Ａに送るタイミングとする。
【００６８】
この場合、端末Ａ〜Ｃが重ねられた状態で、親機となる端末Ａにおける取り込みキーＫ３を押下して他の端末Ｂ，Ｃの各画像データＤｂ，Ｄｃを取り込んでもよい。
【００６９】
図１２に示すように、親機の端末Ａに対して他の端末Ｂ、Ｃを、この順序で横にずらして親機の下方に重ねた状態で、端末Ａに端末Ｂ、Ｃの画像データＤｂ，Ｄｃを取り込むと、各端末Ａ〜Ｃの重なりの順序で、画像データＤａ、Ｄｂ，Ｄｃに対してページ設定されたファイルとなる。例えば、端末Ａの画像データが１ページとすると、端末Ｂの画像データＤｂが２ページ、端末Ｃの画像データＤｃが３ページとなる。
【００７０】
ページ順に取り込んだかどうかは、ページキーＫ４を押下することにより確認することができる。
【００７１】
また、ページ順を変更したい場合は、再度、端末Ａ〜Ｃの重なり順序を入れ替えて画像データを取り込むことにより、ページを入れ替えることができる。
【００７２】
図１３は、親機の端末Ａに対する他の端末Ｂ、Ｃの重なり割合を、端末Ａで検出する場合の説明図である。
【００７３】
この実施形態では、端末Ａに対する端末Ｂ、Ｃの重なり割合が一定以上（例えば５０％以上）である場合に、各端末Ａ〜Ｃの画像データを各１ページとして複数ページのファイルとして統合し、一定未満の場合は、電子書籍のように１枚のページに統合するものとなされている。１枚のファイルとするか複数ページのファイルとするかを決定する前記重なり割合は、初期設定にて設定変更可能となされている。
【００７４】
重なり割合の検出は、具体的には、まず一番上側にある端末Ａにおける重なり方向（横方向）の長さ（幅寸）Ｙ１と、端末Ａに対する端末Ｂの重なり長さＹ２とを端部センサ４を介してＣＰＵ１１により算出する。例えば、長さＹ１と長さＹ２の割合から重なり割合を算出することができ、さらに、図１４に示す長さＹ０（端末Ａの重なっていない部分の長さ）から、この長さＹ０に対応する画像Ｄａの領域の座標位置を求める。端末Ａと端末Ｃとの重なり割合については、端末Ａと端末Ｃが直接接触していないことから、端末Ａと直接接触している端末Ｂから、端末Ｂに対する端末Ｃの重なり割合についての情報を取得することにより演算される。
【００７５】
重なり割合が設定値よりも小さく、画像データＤａに画像データＤｂ、Ｄｃを統合して１枚にする場合には、統合画像データを図１５のように決定する。重なった部分（図１４のＹ０の部分）については、画像Ｄａとして、長さＹ０に対応する領域が統合される。なお、端末Ｂ、Ｃのいずれかの端末Ａに対する重なり割合が一定未満の場合は、重なり割合が一定以上の端末の画像データのみが、端末Ａの画像データＤａと各ページが設定された複数ページのファイルとして統合される。
【００７６】
図１６は、親機の端末Ａに対して他の端末Ｂを斜めにずらして重ねた状態の説明図である。
【００７７】
図１６において、この場合も前記長さＹ１と重なり長さＹ２ならびに縦方向の長さＸ１と、端末Ａに対する端末Ｂの重なり長さＸ２との割合から重なり割合を算出する。少なくとも片方が一定値（例えば５０％）未満の場合は、図１７に示すように１枚のページに統合される。
【００７８】
複数ページに統合する場合について図１８〜図２０を参照して説明する。
【００７９】
まず、端末Ａの表示部３に前ページを透明レイヤーとして時間経過に伴って順次取り込み表示を行い、最後に１つのファイルとして１ページ目（Ｐ１）の表示を行うことにより、各ページ（Ｐ１，Ｐ２）が取り込まれたことを把握することができる。
【００８０】
具体的には、図１８に示すように画像データを取り込んだ時に１ページ目（Ｐ１）を最初に表示、ついで、暫くして２ページ目（Ｐ２）を図１９に示すように表示させる。この時、１ページ目（Ｐ１）は半透明レイヤとして消す。ついで、暫くして３ページ目（Ｐ３）を図２０に示すように表示させる。２ページ目（Ｐ２）も同じく半透明レイヤとして消す。
【００８１】
このようにすることにより、複数ページ（Ｐ１〜Ｐ３）が取り込まれたということを、ユーザは認識できる。
【００８２】
なお、ファイル統合時において、２ページ（Ｐ２）以降を表示さる方法として、例えば１ページ目（Ｐ１）の表示部にリンクを貼り、２ページを選択する場合にリンクをタッチすれば、リンクに関連する表示ページ（Ｐ２）に移行するようにしてもよい。
【００８３】
例えば図１８の場合には、画像データを取り込んだ後にページ設定表示を行い、その場所にリンクを貼る。図１８で２／３ページ（２ページ目）の上角ページ表示部Ｑのところを押すと、２ページ目（Ｐ２）が表示される。
【００８４】
図２１は、複数ページに統合する場合、１ページ目（Ｐ１）で選択され関連付けられた画像のページに表示が切り替わる例の説明図である。
【００８５】
図２１において、複数ページに統合した場合、１ページ目（Ｐ１）と関連する項目の画像にリンクを貼り、そのリンクを貼った箇所を選択（指でタッチ）すると、関連付けられた画像のページに表示を切り替えるようになっている。
【００８６】
例えば、１ページ目（Ｐ１）中のデータＤａとして画像が表示される共に、リンクＱを示す「表２」が含まれた説明用メッセージＭが表示されている。また、２ページ目（Ｐ２）には、図２１の下図に示すように、「表２」に対応する表が表示されている。
【００８７】
１ページ目（Ｐ１）中の図の説明用メッセージ中の「表２」Ｑの個所を押下すると、下図に示すように「表２の説明」として「表２」が表示された２ページ目（Ｐ２）に表示が切り換わる。
【００８８】
図２２は、親機の端末Ａで統合されたファイルを端末Ａから他の端末Ｂにコピーする方法の説明図である。
【００８９】
図２２において、統合したファイルを親機の端末Ａに表示し、他の端末Ｂを端末Ａの横に接触させた状態で、統合したファイルを親機の端末Ａから他の端末Ｂにコピーする場合、例えば端末Ａ上のタッチパネル画面上で、符号Ｄｄで示すように統合ファイルを摘む操作を行い、ファイルのコピーを受け取りたい端末Ｂのタッチパネル画面をタッチして、摘んだ統合ファイルを離す操作を行うことにより、端末Ａの統合ファイルを端末Ｂにコピーすることができるものとなされている。このような操作により、統合したファイルのコピーを簡単に行うことが可能となる。
【００９０】
図２３は、統合ファイルを親機の端末Ａから他の端末Ｂに送信する方法の説明図である。
【００９１】
図２３において、親機の端末Ａに対して他の端末Ｂを横向きで接触させた状態で、親機の端末Ａのタッチパネル３上で、端末Ｂの方向へフリック操作することにより、端末Ａに表示された統合ファイルの送信が可能となるように構成されている。
【００９２】
図２４は、親機の端末Ａに他の端末（例えばＢ）の画像データを取り込んでファイル統合する場合に、親機の端末Ａで実行される処理の流れを示すフローチャートである。この処理は、親機の端末ＡのＣＰＵ１１がＲＯＭ１２等の記録媒体に記録された動作プログラムに従って動作することにより実行される。
【００９３】
図２４において、ステップＳ１では、画像データを表示する。他の端末Ｂにおいても取り込みたい画像データを表示する。ステップＳ２では、ファイル統合アプリケーションを起動する。ファイル統合アプリケーションの起動は、他の端末Ｂにおいても行う。次いで、ステップＳ３で、自装置（端末Ａ）をファイルを統合する親機（端末Ａ）として設定する。
【００９４】
ステップＳ４では、ファイル自動取り込みモードが設定されているかどうかを判断し、自動取り込みモードであれば（ステップＳ４でＹＥＳ）、ユーザが端末Ｂを親機Ａに接触させると、ステップＳ５でこれを検出してステップＳ６に進む。
【００９５】
ステップＳ４において、自動取り込みモードでなければ（ステップＳ４でＮＯ）、ステップＳ１６で、端末Ｂが親機の端末Ａに接触したことを検出し、ステップＳ１７で、端末Ａの取り込みキーＫ３がＯＮされたことを検出すると、ステップＳ６に進む。
【００９６】
ステップＳ６では、端末Ｂと通信を行なったのち、ステップＳ７で、親機の端末Ａに画像データの取り込みが行なわれ、ステップＳ８で、ファイル編集をするか否かを、編集キーＫ２が押下されたかどうかで判断する。ファイル編集をするのであれば（ステップＳ８でＹＥＳ）、ステップＳ９では、取り込んだファイルの編集を行い、ファイル編集をしないのであれば（ステップＳ８でＮＯ）、ステップＳ１１に進む。
【００９７】
ステップＳ１０では、編集が完了したか否かを判断し、編集が完了していなければ（ステップＳ１０でＮＯ）、ステップＳ１０に戻って、編集完了を判断する。編集が完了すれば（ステップＳ１０でＹＥＳ）、ステップＳ１１でファイルの統合を行なう。
【００９８】
ステップＳ１２では、統合したファイル名を決定し、ステップＳ１３では完了キーＫ６がＯＮされたことを検出し、ステップＳ１４では端末Ｂにファイルを送信し、ステップＳ１５で統合したファイルを保存したのち、処理を終了する。
【００９９】
図２５は、画像データを取り込む処理（図２４のステップＳ７）のサブルーチンを示すフローチャートである。
【０１００】
図２５において、ステップＳ７１では、自装置Ａに対して他の端末Ｂが重なっているか否かを判断し、他の端末Ｂが重なっていれば（ステップＳ７１でＹＥＳ）、ステップＳ７２では、端末Ｂとの重なりが５０％未満か否かを判断する。
【０１０１】
他の端末Ｂが重なっていない場合（ステップＳ７１でＮＯ）、及び他の端末Ｂの重なりが５０％未満である場合（ステップＳ７２でＹＥＳ）、ステップＳ７３に進む。
【０１０２】
ステップＳ７３では、他の端末Ｂの向きおよび位置を確認し、ステップＳ７４では、他の端末Ｂの画像データを受信したのち、リターンする。
【０１０３】
他の端末Ｂの重なりが５０％以上であれば（ステップＳ７２でＹＥＳ）、ステップＳ７５では、自装置Ａと端末Ｂの重なり順でページ順序を決定する。ステップＳ７６では、他の端末Ｂの画像データを受信し、ステップＳ７７で各画像データ毎にページを設定し、ステップＳ７８でリンク設定を行なってから、リターンする。
【０１０４】
図２６は、ファイル統合処理（図２４のステップＳ１１）のサブルーチンを示すフローチャートである。
【０１０５】
図２６において、ステップＳ１１１では、ファイルをページ順に統合したか否かを判断し、ファイルをページ順に統合したのであれば（ステップＳ１１１でＹＥＳ）、ステップＳ１１２では、先頭ぺージを表示し、ステップＳ１１３では、時間経過と共に前ページデータを透明レイヤに表示する。
【０１０６】
ステップＳ１１４では、前ページ表示後、先頭ページの表示に戻り、ステップＳ１１５では、ファイルに統合したのち、リターンする。
【０１０７】
ステップＳ１１１において、ファイルをページ順に統合していなければ（ステップＳ１１１でＮＯ）、ステップＳ１１６では画像データの余白を検出し、ステップＳ１１７では、余白を削除して画像データの統合サイズを決定し、ステップＳ１１５に進む。そして、ステップＳ１１５で各画像データを１枚（１ページ）のファイルに統合したのち、リターンする。
【０１０８】
図２７は、統合されたファイルの送信処理（図２４のステップＳ１４）のサブルーチンを示すフローチャートである。
【０１０９】
図２７において、ステップＳ１４１では、指による統合ファイルの送信モードか否かを判断し、そのモードであれば（ステップＳ１４１でＹＥＳ）、ステップＳ１４２では、フリック操作による送信モードか否かを判断し、フリック操作による送信モードであれば（ステップＳ１４２でＹＥＳ）、ステップＳ１４３で、各端末Ｂの向きにフリック操作がなされたことを検出し、ステップＳ１４４に進む。
【０１１０】
指で統合ファイルを送信するモードでなければ（ステップＳ１４１でＮＯ）、ステップＳ１４６では、完了キーＫ６が押下されたことを検出し、ステップＳ１４４に進む。また、フリック操作で送信するモードでなければ（ステップＳ１４２でＮＯ）、ステップＳ１４７では、自装置Ａの画面上でデータを摘まむ操作がなされたことを検出し、ステップＳ１４８で、端末Ｂの画面上で離した操作がなされたことを端末Ｂとの通信により検出すると、ステップＳ１４４に進む。
【０１１１】
ステップＳ１４４では、統合されたファイルを端末Ｂに送信してリターンする。端末Ｂは統合ファイルを受信して表示する。
【０１１２】
このように、この実施形態では、親機として設定された端末Ａに対して、他の端末Ｂ，Ｃを横に並べ合わせたり、重ねたりするだけで、他の端末Ｂ，Ｃの表示画像Ｄｂ，Ｄｃを簡単に取込んでファイル統合して表示することができる。
【０１１３】
例えば、端末Ａに他の端末Ｂ，Ｃが並んで配置された場合には、電子書籍のように統合ファイルを１枚ものに表示でき、また、他の端末Ｂ，Ｃが重ねた状態に配置された場合には、各端末Ｂ，Ｃのそれぞれの１ページの画像が重なった状態で複数ページからなるファイルとして統合可能となる。
【０１１４】
これにより、他の端末Ｂ，Ｃのファイルを開いてアクセスして画像のファイルを統合する従来のような煩雑さもなく、複数の画像データを視覚的に分かり易い状態でファイル統合でき、統合操作が格段に簡易化されることになる。
【０１１５】
以上、本発明の実施形態を説明したが、本発明は上記の各実施形態に限定されることはない。例えば、上記各実施形態では、端末Ａ〜Ｃ同士間で画像データを統合する例で説明したが、それらの実施形態に限定されるものではなく、例えば図２８に示すように、ＭＦＰ（Multi Function Peripherals) 等の画像形成装置Ｚに適用することも可能である。
【０１１６】
具体的には、画像形成装置Ｚに画像取り込み装置を適用し、画像形成装置Ｚの操作パネル部１０１の表示部１０２にファイル統合アプリケーションを起動させた状態で、この操作パネル部１０１に他の端末Ｂ（Ｃ）を接触させることにより、該端末Ｂ（Ｃ）の表示画像データを前記操作パネル部１０１の表示部１０２に取り込んでファイル統合させる構成としても良い。勿論、その場合、前記操作パネル部１０１には、前もって前記センサ４を所要個所に搭載させておく必要がある。
【０１１７】
また、親機としての端末Ａや操作パネル部１０１に他の端末Ｂ、Ｃが接触状態のときに画像データの取り込みが行われる構成としたが、各端末Ａ〜Ｃや操作パネル部１０１に近接センサを設けて、端末Ａや素浅パネル部１０１と他の端末Ｂ、Ｃが近接状態のときに画像データの取り込みが行われる構成としても良い。
【０１１８】
また、端末Ａ〜Ｃや操作パネル部１０１にセンサ４を搭載する代わりに、ＧＰＳで検出してデータを取り込む手段を設けておき、例えば他の端末Ｂ、Ｃが親機の端末Ａや操作パネル部１０１に接触ないしは近接した場合、ＧＰＳにより検出した位置情報から端末Ａ（Ｂ）（Ｃ）の接触状態や近接状態を検知するようにし、画像データの取り込んみや編集、ファイル統合を行う構成としても良い。
【符号の説明】
【０１１９】
３，１０２  表示手段
４    センサ
１１  ＣＰＵ
１７  外部インターフェース部
１８  検出部
Ａ，Ｂ，Ｃ，Ｚ  画像取り込み装置（端末，画像形成装置）
Ｄａ，Ｄｂ，Ｄｃ  画像データ
Ｋ３  取り込みキー
Ｐ１〜Ｐ３  ページ
Ｑ  リンク
Ｓ  余白部
【図１】
2014089611.tif 000003
【図２】
2014089611.tif 000004
【図３】
2014089611.tif 000005
【図４】
2014089611.tif 000006
【図５】
2014089611.tif 000007
【図６】
2014089611.tif 000008
【図７】
2014089611.tif 000009
【図８】
2014089611.tif 000010
【図９】
2014089611.tif 000011
【図１０】
2014089611.tif 000012
【図１１】
2014089611.tif 000013
【図１２】
2014089611.tif 000014
【図１３】
2014089611.tif 000015
【図１４】
2014089611.tif 000016
【図１５】
2014089611.tif 000017
【図１６】
2014089611.tif 000018
【図１７】
2014089611.tif 000019
【図１８】
2014089611.tif 000020
【図１９】
2014089611.tif 000021
【図２０】
2014089611.tif 000022
【図２１】
2014089611.tif 000023
【図２２】
2014089611.tif 000024
【図２３】
2014089611.tif 000025
【図２４】
2014089611.tif 000026
【図２５】
2014089611.tif 000027
【図２６】
2014089611.tif 000028
【図２７】
2014089611.tif 000029
【図２８】
2014089611.tif 000030